(57)【特許請求の範囲】
【請求項１】
複数のモードのうち、いずれかのモードによりジョブを実行する画像処理装置であって、
前記複数のモードのうち履歴情報を保存するよう設定されているモードを示す情報を記憶する記憶手段と、
ジョブが実行されたモードが履歴情報を保存するよう設定されたモードであるか否かを、前記記憶手段に記憶された情報に基づいて判定する判定手段と、
前記判定手段による判定の結果、前記ジョブが実行されたモードが履歴情報を保存するよう設定されたモードである場合に、当該実行されたジョブに関する履歴情報を保存する保存手段と、
を備えることを特徴とする画像処理装置。
【請求項２】
前記複数のモードのそれぞれについて履歴情報を保存するか否かを設定する設定手段を更に備えることを特徴とする請求項１に記載の画像処理装置。
【請求項３】
ユーザの指示を入力するための画面を表示する表示手段を更に備え、
前記設定手段は、前記表示手段に表示された設定画面を介して入力されたユーザからの指示に従って、前記複数のモードのそれぞれについて履歴情報を保存するか否かを設定することを特徴とする請求項２に記載の画像処理装置。
【請求項４】
前記判定手段による判定の結果、前記ジョブが実行されたモードが履歴情報を保存するよう設定されたモードではない場合に、前記保存手段は当該実行されたジョブに関する履歴情報を保存しないことを特徴とする請求項１から３のいずれか１項に記載の画像処理装置。
【請求項５】
前記保存手段は、前記実行されたジョブに関する履歴情報として、少なくとも当該ジョブの受付時刻、受付番号、ファイルサイズ、ページ数のいずれかを示す情報を保存することを特徴とする請求項１から４のいずれか１項に記載の画像処理装置。
【請求項６】
ネットワークを介して接続された外部装置からの問い合わせに応じて、前記保存手段が保存している履歴情報を当該外部装置に送信する送信手段を更に備えることを特徴とする請求項１から５のいずれか１項に記載の画像処理装置。
【請求項７】
原稿を読み取り、原稿上の画像を表す画像データを生成する読取手段と、
外部装置からの画像データを受信する受信手段と、
入力された画像データに基づく画像を印刷する印刷手段と、を更に備え、
前記複数のモードとは、少なくとも前記読取手段からの画像データに基づく画像を前記印刷手段によって印刷するコピーモード、及び前記受信手段で受信した画像データに基づく画像を前記印刷手段によって印刷するプリントモードを含むことを特徴とする請求項１から６のいずれか１項に記載の画像処理装置。
【請求項８】
複数のモードのうち、いずれかのモードによりジョブを実行する画像処理装置の制御方法であって、
ジョブが実行されたモードが履歴情報を保存するよう設定されたモードであるか否かを、予め記憶された情報に基づいて判定する判定ステップと、
前記判定ステップにおける判定の結果、前記ジョブが実行されたモードが履歴情報を保存するよう設定されたモードである場合に、当該実行されたジョブに関する履歴情報を保存する保存ステップと、
を備えることを特徴とする画像処理装置の制御方法。
【請求項９】
前記複数のモードのそれぞれについて履歴情報を保存するか否かを設定する設定ステップを更に備えることを特徴とする請求項８に記載の画像処理装置の制御方法。
【請求項１０】
ユーザの指示を入力するための画面を表示する表示ステップを更に備え、
前記設定ステップでは、前記表示ステップで表示された設定画面を介して入力されたユーザからの指示に従って、前記複数のモードのそれぞれについて履歴情報を記憶するか否かを設定することを特徴とする請求項９に記載の画像処理装置の制御方法。
【請求項１１】
前記判定ステップにおける判定の結果、前記ジョブが実行されたモードが履歴情報を保存するよう設定されたモードではない場合に、前記保存ステップにおいて当該実行されたジョブに関する履歴情報を保存しないことを特徴とする請求項８から１０のいずれか１項に記載の画像処理装置の制御方法。
【請求項１２】
前記保存ステップでは、前記実行されたジョブに関する履歴情報として、少なくとも当該ジョブの受付時刻、受付番号、ファイルサイズ、ページ数のいずれかの情報を保存することを特徴とする請求項８から１１のいずれか１項に記載の画像処理装置の制御方法。
【請求項１３】
ネットワークを介して接続された外部装置からの問い合わせに応じて、前記保存ステップで保存した履歴情報を当該外部装置に送信する送信ステップを更に備えることを特徴とする請求項８から１２のいずれか１項に記載の画像処理装置の制御方法。
【請求項１４】
原稿を読み取り、原稿上の画像を表す画像データを生成する読取ステップと、
外部装置からの画像データを受信する受信ステップと、
入力された画像データに基づく画像を印刷する印刷ステップとを更に備え、
前記複数のモードとは、少なくとも前記読取ステップで生成された画像データに基づく画像を前記印刷ステップで印刷するコピーモード、及び前記受信ステップで受信した画像データに基づく画像を前記印刷ステップで印刷するプリントモードを含むことを特徴とする請求項８から１３のいずれか１項に記載の画像処理装置の制御方法。
【発明の詳細な説明】
【技術分野】
【０００１】
本発明は、画像メモリを備えた複数ジョブ受け付け可能な画像形成装置及びその制御方法に関する。
【背景技術】
【０００２】
従来より、デジタル複写機は、次のような機能を備えたものが知られている。即ち、スキャナから読み取った画像データ、あるいはホストコンピュータからネットワークを介して送られたＰＤＬ（Ｐａｇｅ  Ｄｅｓｃｒｉｐｔｉｏｎ  Ｌａｎｇｕａｇｅ：ページ記述言語）データをビットマップに展開する。そして、その画像データを、複写機内のハードディスクなどのメモリに一旦記憶し、そのメモリから任意の原稿の画像データを繰り返し読み出してプリントアウトするものである。
【０００３】
この種のデジタル複写機では、予約コピー機能を設けたものがある（例えば特許文献１参照）。この予約コピー機能は、例えば、大容量ハードディスクなどのメモリを画像バッファとして備える。そして、スキャナ部とプリンタ部を分離して、プリンタ部がウォームアップ中であったり、他のジョブが出力中であったりした場合でも、スキャナ部さえ空いていれば、次のコピージョブを受け付けることができる。
【０００４】
この機能により、大量部数のコピージョブが複写機を占有していても、スキャナからメモリヘの画像入力さえ終了していれば、次のコピージョブを受け付けることができ、コピー機能のスループットを上げることができる。
【特許文献１】特開平９−９０６８１号公報
【発明の開示】
【発明が解決しようとする課題】
【０００５】
しかしながら、上記従来例では、複数のジョブを受け付けることが可能になったために、パソコンから発行したＰＤＬプリントジョブがプリントサーバから複写機に転送された時点でパソコンにはジョブの終了が通知されてしまう。そのため、実際に自分の出力したジョブが終了しているかを判断することが困難になるという問題があった。
【０００６】
また、ジョブ実行途中にジョブをキャンセルされてしまったり、何らかの理由でジョブが正常に終了しなかった場合に、自分のジョブがどのような結果に終わったのかを知るのが難しいという問題もあった。
【０００７】
本発明は、ジョブが実行されたモードが履歴情報を記憶するよう設定されたモードである場合に、当該実行されたジョブに関する履歴情報を保存する画像形成装置及びその制御方法を提供することである。
【課題を解決するための手段】
【０００８】
上記目的を達成するため、本発明は、複数のモードのうち、いずれかのモードによりジョブを実行する画像処理装置であって、前記複数のモードのうち履歴情報を保存するよう設定されているモードを示す情報を記憶する記憶手段と、ジョブが実行されたモードが履歴情報を保存するよう設定されたモードであるか否かを、前記記憶手段に記憶された情報に基づいて判定する判定手段と、前記判定手段による判定の結果、前記ジョブが実行されたモードが履歴情報を保存するよう設定されたモードである場合に、当該実行されたジョブに関する履歴情報を保存する保存手段と、を備えることを特徴とする。
【０００９】
また、本発明は、複数のモードのうち、いずれかのモードによりジョブを実行する画像処理装置の制御方法であって、ジョブが実行されたモードが履歴情報を保存するよう設定されたモードであるか否かを、予め記憶された情報に基づいて判定する判定ステップと、前記判定ステップにおける判定の結果、前記ジョブが実行されたモードが履歴情報を保存するよう設定されたモードである場合に、当該実行されたジョブに関する履歴情報を保存する保存ステップと、を備えることを特徴とする。
【発明の効果】
【００１０】
以上詳述したように、本発明の画像形成装置及びその制御方法によれば、ジョブが実行されたモードが履歴情報を記憶するよう設定されたモードである場合に、当該実行されたジョブに関する履歴情報を保存することができる。
【発明を実施するための最良の形態】
【００１１】
以下、本発明の実施の形態について、図面を参照しながら説明する。
【００１２】
以下、図面を参照して本発明の実施の形態を説明する。
【００１３】
図１は、本発明の実施の一形態に係る画像形成装置の概略構成を示すブロック図である。
【００１４】
同図において、１０１はデジタル複写機本体であり、操作部１０２、リーダ部１０３、及びプリンタ部１０４から構成される。操作部１０２は、デジタル複写機本体１０１及び画像入出力制御部１０５を操作するために使用する。リーダ部１０３（読取手段）は、原稿の画像を読み取り、原稿画像に応じた画像データを生成してプリンタ部１０４及び画像入出力制御部１０５へ出力する。
【００１５】
プリンタ部１０４は、リーダ部１０３及び画像入出力制御部１０５からの画像データに応じた画像を記録紙上に印刷する。画像入出力制御部１０５はリーダ部１０３に接続されており、ファクシミリ部１０６、コンピュータインターフェース部１０７、ハードディスクからなる画像メモリ１０８、及び制御部１０９から構成される。
【００１６】
ファクシミリ部１０６は、電話回線を介して受信した圧縮画像データを伸長して、伸長された画像データを制御部１０９へ転送し、また制御部１０９から転送された画像データを圧縮して、圧縮された圧縮画像データを電話回線を介して送信する。ファクシミリ部１０６により受信した圧縮画像データは、ハードディスク１０８に一時的に保存することができる。
【００１７】
コンピュータインターフェース部１０７は、パーソナルコンピュータ又はワークステーション（ＰＣ／ＷＳ）によって構成されるプリントサーバ１１０（外部装置）と制御部１０９の間のインターフェースである。ＰＣ／ＷＳ１１０から転送された画像を表すコードデータ（ＰＤＬ）をプリンタ部１０４で記録できる画像データに展開して制御部１０９に渡す機能を有する（プリントモード）。
【００１８】
制御部１０９は、リーダ部１０３、ファクシミリ部１０６、コンピュータインターフェース部１０７、及び画像メモリ１０８のそれぞれの間のデータの流れを制御するものである。
【００１９】
バックアップＲＡＭ１１１は、電源を落としても消去されないメモリであり、デジタル複写機１０１及び画像入出力制御部１０５においてバックアップしておかなければならないデータを保存しておくものである。
【００２０】
図２は、リーダ部１０３及びプリンタ部１０４の断面図である。
【００２１】
リーダ部１０３の原稿給送装置２０１は、原稿を最終順に１枚ずつプラテンガラス２０２上へ給送し、原稿の読み取り動作終了後、プラテンガラス２０２上の原稿を排出するものである。原稿がプラテンガラス２０２上に搬送されると、ランプ２０３を点灯し、そしてスキャナユニット２０４の移動を開始させて、原稿を露光走査する。この時の原稿からの反射光は、ミラー２０５，２０６，２０７，及びレンズ２０８によってＣＣＤイメージセンサ（以下ＣＣＤと呼ぶ）２０９へ導かれる。
【００２２】
このように、走査された原稿の画像はＣＣＤ２０９によって読み取られ、ＣＣＤ２０９から出力される画像データは、所定の処理が施された後、プリンタ部１０４と画像入出力制御部１０５の制御部１０９へ転送される。
【００２３】
プリンタ部１０４のレーザドライバ２２１は、レーザ発光部２１０を駆動するものであり、リーダ部１０３から出力された画像データに応じたレーザ光をレーザ発光部２１０に発光させる。このレーザ光は感光ドラム２１１に照射され、感光ドラム２１１にはレーザ光に応じた潜像が形成される。この感光ドラム２１１の潜像の部分には現像器２１２によって現像剤が付着される。
【００２４】
そして、レーザ光の照射開始と同期したタイミングで、カセット２１３及びカセット２１４のいずれか一方より記録紙を給紙して転写部２１５へ搬送し、感光ドラム２１１に付着された現像剤を記録紙に転写する。現像剤の乗った記録紙は定着部２１６に搬送され、定着部２１６の熱と圧力により現像剤は記像紙に定着される。
【００２５】
定着部２１６を通過した記録紙は、排出ローラ２１７によって排出され、ソータ２２０は排出された記録紙をそれぞれのビンに収納して記録紙の仕分けをしたり、仕分けされた記録紙のステイプルを行う。なお、ソータ２２０は仕分けが設定されていない場合は最上ビンに記録紙を収納する。
【００２６】
また、両面記録が設定されている場合は、排出ローラ２１７のところまで記録紙を搬送した後、排出ローラ２１７の回転方向を逆転させ、フラッパ２１８によって再給紙搬送路２１９へ導く。多重記録が設定されている場合は、記録紙を排出ローラ２１７まで搬送しないようにフラッパ２１８によって再給紙搬送路２１９へ導く。再給紙搬送路２１９へ導かれた記録紙は上述したタイミングで転写部２１５へ給紙される。
【００２７】
図３は、デジタル複写機の操作部１０２のキー配列を示す図である。
【００２８】
図中の３０１は、電源スイッチであり、本体への通電を制御する。３０２は、予熱キーであり、予熱モードのＯＮ／ＯＦＦに使用する。３０３は、コピーモードキーであり、複数の機能の中からコピーモードを選択するときに使用する。３０４は、ファックスモードキーであり、複数の機能の中からファックスモードを選択するときに使用する。
【００２９】
また、３０５は、パーソナルボックスキーであり、複数の機能の中からパーソナルボックスモードを選択するときに使用する。パーソナルボックス機能とは、ユーザ個人や部署毎に複写機内のメモリに記憶領域を持ち、そこにＰＤＬやスキャン画像を入れておき、好きなときに出力する機能である。
【００３０】
さらに、３０６は、拡張キーであり、ＰＤＬに対する操作を行うときに使用する。３０７は、コピースタートキーであり、コピーの開始を指示するときに用いるキーである。３０８は、ストップキーであり、コピーを中断したり、中止したりするときに用いるキーである。３０９は、リセットキーで、スタンバイ中は標準モードに復帰させるキーとして動作する。
【００３１】
３１０は、ガイドキーであり、各機能を知りたいときに使用するキーである。３１１は、ユーザモードキーであり、ユーザがシステムの基本設定を変更するときに使用する。３１２は、割り込みキーであり、コピー中に割り込みしてコピーしたいときに用いる。３１３は、テンキーであり、数値の入力を行うときに使用する。３１４は、クリアキーであり、数値をクリアするときに用いる。
【００３２】
３１５は、ＩＤキーであり、複写機を使用する場合にＩＤの入力モードに移行するときに使用する。３１６は、液晶画面とタッチセンサの組合せからなるタッチパネルであり、各モード毎に個別の設定画面が表示され、さらに、描画されたキーに触れることで、各種の詳細な設定を行うことが可能である。３１７は、ネットワークの通信状態を示すタリーランプであり、通常緑色で、通信しているときは緑色で点滅し、ネットワークエラーの場合には赤色になる。
【００３３】
図４は、本実施形態における操作パネル３１６のコピー標準画面を示した図である。なお、本実施形態の画像処理装置は、電源投入時にデフォルトとしてコピー標準画面で起動するようになっている。
【００３４】
図中の４０１は、メッセージラインであり、コピージョブの状態をメッセージで表示する。４０２は、倍率表示であり、設定された倍率やコピーモードによって自動的に決められる倍率をパーセントで表示する。４０３は、用紙サイズ表示であり、選択された出力用紙を表示し、自動用紙選択が設定されている場合にはオート用紙というメッセージを表示する。４０４は置数表示であり、何枚コピーするかを示す。
【００３５】
また、４０５は、縮小キーであり、縮小コピーを行いたい場合に使用する。４０６は、等倍キーであり、縮小や拡大が設定されている場合に等倍に戻したいときに使用する。４０７は、拡大キーであり、拡大コピーを行いたい場合に使用する。４０８は、ズームキーであり、細かい単位で倍率を設定して縮小コピーや拡大コピーを行いたい場合に使用する。
【００３６】
さらに、４０９は、用紙選択キーであり、出力用紙を指定する場合に使用する。４１０は、ソータキーであり、ソートやステイプルのモードを設定する場合に使用する。４１１は両面キーであり、両面モードを設定する場合に使用する。４１２は、濃度表示で、現在の濃度が分かるようになっており、左側が濃度が薄く、右側が濃度が濃いことを示す。また、濃度表示４１２は、うすくキー４１３、こくキー４１５と連動して表示が変化するようになっている。
【００３７】
４１３は、うすくキーであり、濃度を薄くしたい場合に使用する。４１４は自動キーであり、自動的に濃度を決定するモードを使用する場合に使用する。４１５は、こくキーであり、濃度を濃くしたい場合に使用する。４１６は、文字キーであり、文字原稿をコピーするのに適した濃度に自動的に設定する文字モードを設定する場合に使用する。
【００３８】
また、４１７は、文字／写真キーであり、写真が混在した原稿をコピーするのに適した濃度に自動的に設定する文字／写真モードを設定する場合に使用する。  ４１８は、応用モードキーであり、コピー標準画面で設定できない様々なコピーモードを設定する場合に使用する。４１９は、プリント状況キーであり、現在この画像形成装置１０１で行われているプリントの状況を見たい場合に使用する。プリント状況キー４１９は、コピー標準画面だけではなく、常にこの位置に現れており、いつでもこのキーを押すことによりプリント状況を見ることができるようになっている。
【００３９】
図５は、操作パネル３１６に表示されるジョブ履歴画面を示す図である。
【００４０】
図中の５０１は、過去に実行されたジョブの履歴リストであり、本実施形態では上から順に新しいものから表示される。５０２は、本実施形態ではジョブの受付時刻を表示するフィールドである。５０３は、ＰＤＬプリントの場合はホスト名もしくはユーザ名を表示し、その他のコピーやＦＡＸのジョブに関してはその機能の名前を表示するフィールドである。
【００４１】
５０４は、ジョブ名を表示するフィールドであり、ＰＤＬプリントの場合はファイル名を表示し、コピーの場合は原稿枚数と部数、ＦＡＸの場合はＦＡＸ番号を表示する。５０５は、各ジョブの実行結果を表示するフィールドで、正常終了の場合はＯＫ、異常終了の場合はＮＧ、ストップキー３０８などで強制終了した場合にはＳｔｏｐを表示する。
【００４２】
５０６，５０７は、それぞれ下スクロールキーと上スクロールキーで、ジョブがジョブ履歴リスト５０１の一画面に表示しきれない場合に、ジョブ履歴リスト５０１に表示される履歴情報を上下にスクロールさせる。５０８は詳細情報キーで、ジョブ履歴リスト５０１で選択されたジョブの詳細情報を見る場合に使用する。詳細情報キー５０８を押すと図６のジョブ詳細情報画面が表示される。５０９は、ジョブ履歴画面を終了するキーで、このキーを押すことにより、図４に示す標準画面に戻る。
【００４３】
図６は、操作パネル３１６に表示されるジョブ履歴詳細画面を示す図である。
【００４４】
図中の６０１はジョブ履歴詳細ウィンドウで１つのプリントジョブの履歴詳細情報を表示する。６０２は、ジョブの受付時刻を示す。６０３は、ジョブの受付番号を示す。６０４は、ジョブのファイルサイズである。６０５は、ジョブの出力したページ数を示す。６０６は、ＰＤＬプリントの場合はホスト名もしくはユーザ名を表示し、その他のコピーやＦＡＸのジョブに関してはその機能の名前を示す。
【００４５】
６０７は、ジョブ名を表示するフィールドであり、ＰＤＬプリントの場合はファイル名を表示し、コピーの場合は原稿枚数と部数、ＦＡＸの場合はＦＡＸ番号を表示する。６０８は、実行結果を表示するフィールドで、正常終了の場合はＯＫ、異常終了の場合はＮＧ、ストップキー３０８などで強制終了した場合にはＳｔｏｐを表示する。６０９は、閉じるキーであり、このキーを押すことで図５のジョブ履歴画面に戻る。
【００４６】
図７は、操作パネル３１６に表示されるユーザ設定画面を示す図である。
【００４７】
ユーザモードキー３１１を押すことで、この画面を開くことができ、この画面から複写機の色々な設定を行うことができる。７０１を押すことで、電源立ち上げ時に操作パネル３１６に表示する画面を設定する画面を開くことができる。７０２を押すことで、図８に示すジョブ履歴の設定画面を開くことができる。７０３を押すことで、自動用紙機能で使用できるカセット段を選択する画面を開くことができる。
【００４８】
７０４は、ユーザ設定画面の項目を現在どれだけ表示しているかを分数の形で示している。７０５，７０６はそれぞれ下スクロールキーと上スクロールキーで、項目を一画面に表示しきれない場合に、これらのキーを押すことで項目を上下にスクロールさせる。７０７は閉じるキーで、ユーザ設定画面を終了する場合に使用する。
【００４９】
図８は、操作パネル３１６に表示されるジョブ履歴設定画面を示す図である。
【００５０】
８０１はＯＮ／ＯＦＦキーであり、それぞれのジョブの履歴をとるかどうかを設定するときに使用する。ＯＮ／ＯＦＦキー８０１はそれぞれの項目に対して“ＯＮ”か“ＯＦＦ”のどちらかしか設定できないようになっており、“ＯＮ”が履歴をとることを、“ＯＦＦ”が履歴をとらないことを示している。８０２は取消キーであり、このキーを押すことで、変更した設定を無効にして図７の画面に戻る。８０３はＯＫキーであり、このキー押すことで、変更した設定をバックアップＲＡＭ１１１に書き込み、図７の画面に戻る。
【００５１】
図９は、本実施形態に係わる画像形成装置のジョブ履歴の保存方法を示すフローチャートである。
【００５２】
まず、ステップＳ１では、ジョブが正常終了もしくは異常終了してステップＳ２に進む。ステップＳ２では、終了したジョブがコピージョブかどうかを判断し、コピージョブであればステップＳ３に進み、そうでなければステップＳ５に進む。
【００５３】
ステップＳ３では、バックアップＲＡＭ１１１からジョブ履歴の設定を読んでコピージョブの履歴をとる設定ならば（判定手段）、ステップＳ４に進み、とらない設定ならばそのまま終了する。ステップＳ４では、終了したコピージョブの履歴をバックアップＲＡＭ１１１に保存する（保存手段）。
【００５４】
ステップＳ５では、終了したジョブがファックスジョブかどうかを判断し、ファックスジョブであればステップＳ６に進み、そうでなければステップＳ８に進む。ステップＳ６では、バックアップＲＡＭ１１１からジョブ履歴の設定を読んでファックスジョブの履歴をとる設定ならばステップＳ７に進み、とらない設定ならばそのまま終了する。
【００５５】
ステップＳ７では、終了したファックスジョブの履歴をバックアップＲＡＭ１１１に保存する。ステップＳ８では、終了したジョブがパーソナルボックスジョブかどうかを判断し、パーソナルボックスジョブであればステップＳ９に進み、そうでなければステップＳ１１に進む。
【００５６】
ステップＳ９では、バックアップＲＡＭ１１１からジョブ履歴の設定を読んでパーソナルボックスジョブの履歴をとる設定ならばステップＳ１０に進み、とらない設定ならばそのまま終了する。ステップＳ１０では、終了したパーソナルボックスジョブの履歴をバックアップＲＡＭ１１１に保存する。
【００５７】
ステップＳ１１では、終了したジョブがＰＤＬプリントジョブかどうかを判断し、ＰＤＬプリントジョブであればステップＳ１２に進み、そうでなければそのまま終了する。ステップＳ１２では、バックアップＲＡＭ１１１からジョブ履歴の設定を読んでＰＤＬプリントジョブの履歴をとる設定ならばステップＳ１３に進み、とらない設定ならばそのまま終了する。ステップＳ１３では、終了したＰＤＬプリントジョブの履歴をバックアップＲＡＭ１１１に保存する。
【００５８】
図１０は、本実施形態に係わるパソコン等のホストでのジョブ履歴ウィンドウ画面を示す図である。
【００５９】
図中の１００１はジョブ履歴ウィンドウであり、パソコンのプリンタドライバに組み込まれるプログラムから起動され、ジョブの履歴を取得するための設定を行うウィンドウである。１００２は取得したいジョブを選択するためのボタンでトグル動作になっており、複数のジョブを選択することができる。
【００６０】
１００３はＯＫキーであり、１００２で設定された種類のジョブ履歴を取得するコマンドをネットワーク経由でサーバ１１０に送信する。このコマンドはサーバ１１０を介して画像入出力制御部１０５に送信され、その返答として選択されたジョブ履歴を受け取り、図５又は図６に示したものと同様の表示をパソコン上で行う。１００４はキャンセルキーで、ジョブ履歴を取得せずジョブ履歴ウィンドウ１００１を閉じるときに使用する。
【００６１】
図１１は、本実施形態に係わる画像形成装置のジョブ履歴問い合わせに対する処理を示すフローチャートである。
【００６２】
まずステップＳ２１では、プリントサーバ１１０からのジョブ履歴問い合わせを受信し、ステップＳ２２に進む。ステップＳ２２では、バックアップＲＡＭ１１１から１つずつ履歴情報を読み出し、ステップＳ２３に進む。ステップＳ２３では、読み出したジョブ履歴情報がコピージョブかどうかを判断し、コピージョブであればステップＳ２４に進み、そうでなければステップＳ２６に進む。
【００６３】
ステップＳ２４では、コピージョブの履歴が問い合わせられているかどうかを判断し、コピージョブの履歴が設定されているならばステップＳ２５に進み、そうでないならステップＳ３５に進む。ステップＳ２５では、読み出したコピージョブの履歴をプリントサーバ１１０に返すデータに追加し、ステップＳ３５に進む。
【００６４】
ステップＳ２６では、読み出したジョブ履歴情報がファックスジョブかどうかを判断し、ファックスジョブであればステップＳ２７に進み、そうでなければステップＳ２９に進む。ステップＳ２７では、ファックスジョブの履歴が問い合わせられているかどうかを判断し、ファックスジョブの履歴が設定されているならばステップＳ２８に進み、そうでないならステップＳ３５に進む。
【００６５】
ステップＳ２８では、読み出したファックスジョブの履歴をプリントサーバ１１０に返すデータに追加し、ステップＳ３５に進む。ステップＳ２９では、読み出したジョブ履歴情報がパーソナルボックスジョブかどうかを判断し、パーソナルボックスジョブであればステップＳ３０に進み、そうでなければステップＳ３２に進む。
【００６６】
ステップＳ３０では、パーソナルボックスジョブの履歴が問い合わせられているかどうかを判断し、パーソナルボックスジョブの履歴が設定されているならばステップＳ３１に進み、そうでないならステップＳ３５に進む。ステップＳ２５では、読み出したパーソナルボックスジョブの履歴をプリントサーバ１１０に返すデータに追加し、ステップＳ３５に進む。
【００６７】
ステップＳ３２では、読み出したジョブ履歴情報がＰＤＬプリントジョブかどうかを判断し、ＰＤＬプリントジョブであればステップＳ３３に進み、そうでなければステップＳ３５に進む。ステップＳ３３では、ＰＤＬプリントジョブの履歴が問い合わせられているかどうかを判断し、ＰＤＬプリントジョブの履歴が設定されているならばステップＳ３４に進み、そうでないならステップＳ３５に進む。
【００６８】
ステップＳ３４では、読み出したＰＤＬプリントジョブの履歴をプワントサーバ１１０に返すデータに追加し、ステップＳ３５に進む。ステップＳ３５では、読み出したジョブ履歴情報が最後の履歴情報であるかどうかを判断し、最後の履歴情報であればステップＳ３６に進み、そうでなければステップＳ２２に戻る。ステップＳ３６では、プリントサーバ１１０に読み出した履歴情報を送信する。
【００６９】
なお、本実施形態においては、図９及び図１１に示したフローチャートに従ったプログラムを制御部１０９内の記憶装置に格納し動作することにより、上述の制御方法を実現させることが可能となる。
【００７０】
このように本実施形態では、過去に行ったジョブの実行履歴を保存し、その保存された実行履歴を表示するようにしたので、複数のジョブを受け付けることが可能なデジタル複写機において、ユーザは自分のジョブの実行結果を確実に知ることができる。
【図面の簡単な説明】
【００７１】
【図１】本発明の実施の一形態に係る画像形成装置の概略構成を示すブロック図である。
【図２】リーダ部１０３及びプリンタ部１０４の断面図である。
【図３】デジタル複写機の操作部１０２のキー配列を示す図である。
【図４】本実施形態における操作パネル３１６のコピー標準画面を示した図である。
【図５】操作パネル３１６に表示されるジョブ履歴画面を示す図である。
【図６】ジョブ詳細情報画面の表示状況を示す図である
【図７】操作パネル３１６に表示されるユーザ設定画面を示す図である。
【図８】ジョブ履歴の設定画面を示す図である。
【図９】実施形態に係わる画像形成装置のジョブ履歴の保存方法を示すフローチャートである。
【図１０】実施形態に係わるパソコン等のホストでのジョブ履歴ウィンドウ画面を示す図である。
【図１１】実施形態に係わる画像形成装置のジョブ履歴問い合わせに対する処理を示すフローチャートである。
【符号の説明】
【００７２】
１０１  デジタル複写機本体
１０２  操作部
１０３  リーダ部
１０４  プリンタ部
１０５  画像入出力制御部
１０６  ファクシミリ部
１０７  コンピュータインターフェース部
１０８  画像メモリ
１０９  制御部
１１０  プリントサーバ
１１１  バックアップＲＡＭ
【図１】
0004393536.tif 000002
【図２】
0004393536.tif 000003
【図３】
0004393536.tif 000004
【図４】
0004393536.tif 000005
【図５】
0004393536.tif 000006
【図６】
0004393536.tif 000007
【図７】
0004393536.tif 000008
【図８】
0004393536.tif 000009
【図９】
0004393536.tif 000010
【図１０】
0004393536.tif 000011
【図１１】
0004393536.tif 000012